(57)【要約】【課題】ゴミを簡便に減容するための容器を提供すること。【解決手段】本発明は、物を収納する容器であって、開口部を有する収納部と前記開口部を塞ぐ蓋とから構成され、前記開口部は前記蓋が装着される部分が略筒状に形成され、前記蓋は前記開口部の径方向の寸法より長い寸法を有し、曲げの力に対して可撓性と反発性を具備する材料からなり、前記収納部又は前記蓋は、前記蓋が前記収納部に装着された際に、前記収納部と前記蓋とが互いに接する部分において滑り防止部として形成されてなる、という構成を採っている。このような構成とすれば、プラスチック製容器包装（外装フィルム、ラップ、トレイ、菓子袋等）のような嵩張る物でも、前記蓋を収納部に装着する際に、前記蓋を下方に押し下げると、その可撓性と反発性により、前記蓋が下方に凸に変形し、前記収納部の開口部に保持され、収納した物を圧縮、減容することが可能となる。【選択図】図１
2006273518.tif 000002
【特許請求の範囲】
【請求項１】
物を収納する容器であって、開口部を有する収納部と前記開口部を塞ぐ蓋とから構成され、前記開口部は、前記蓋が装着される部分が略筒状に形成され、前記蓋は、前記開口部の径方向の寸法より長い寸法を有し、曲げの力に対して可撓性と反発性を具備する材料からなり、前記収納部又は前記蓋は、前記蓋が前記収納部に装着された際に、前記収納部と前記蓋とが互いに接する部分において滑り防止部として形成される、ことを特徴とする収納容器。
【請求項２】
前記蓋は、プラスチックである請求項１に記載の収納容器。
【請求項３】
前記蓋は、径方向に切欠を有する、請求項１又は請求項２に記載の収納容器。
【請求項４】
前記蓋は、前記蓋が前記収納部に装着された際の取り外し手段を有する、請求項１乃至請求項３に記載の収納容器。
【発明の詳細な説明】
【技術分野】
【０００１】
本発明は、嵩張る物を収納するために減容する機能を有する容器に関する。
【背景技術】
【０００２】
家庭や事業所、店舗等での日常生活において発生するゴミ、特にプラスチック製容器包装（外装フィルム、ラップ、トレイ、菓子袋等）の分別および収集において、これらプラスチック製容器包装は、比較的軽量にも関わらず容積が大きく、圧縮しても反発力を持ち、効率的に収納することができないという問題があった。
【０００３】
自治体の公報(http://www.city.nishio.aichi.jp/kaforuda/16kankyou/gomigen/ｐｕｒａ/ｂｕｎｂｅｔｕ  ｑａ.html)においても、「プラスチック製容器包装ごみは、市が収集している可燃ごみの容積比で約３０パーセント、重量比で約８パーセントを占めています。」とあるように、プラスチック製容器包装ごみは、家庭から排出されるごみのなかで主要なごみの一つである。また、運搬コストはごみの容積に比例するため、プラスチック製容器包装ごみは重量の割に割高となっている。
【０００４】
企業においても、ISO14001（国際標準化機構における環境マネジメントシステムに関する規格）への取り組みから、ゴミの分別および収集に取組んでいるが、プラスチック製容器包装については、家庭内と同様に嵩張るゴミとして収集が不便であった。
【０００５】
プラスチック製容器包装等の嵩張るゴミを収集するためには、蓋付きのゴミ箱が一般的であるが、このようなゴミ箱にはゴミを減容する機能はなく、ゴミ箱がすぐに一杯になるため、ゴミ箱内のゴミを頻繁に捨てる必要があった。また、ゴミのもつ反発力のために、外開きの蓋では、蓋が開いたりゴミが外に溢れ出したりする一方で、内開きの蓋では、収納されたゴミの反発で蓋が開きにくい、など
の不便があった。
【０００６】
上記の問題を解決するための手段として、ゴミの減容機能を有する装置や容器が公知である。例えば、特許文献１および特許文献２には、エアポンプや電動機等を用いた可動機構を採り入れることより、ゴミを圧縮し、減容する技術が開示されている。これらの技術は、比較的大型の装置により効率的にゴミを圧縮、減容するものである。また、特許文献３および特許文献４には、手若しくは指又は
押圧蓋を使うことにより、ゴミを圧縮し、減容する技術が開示されている。これらの技術は、エアポンプや電動機等を用いることなく、比較的に簡便な装置で実現している。
【特許文献１】特開２００３−２６１２０２号公報
【特許文献２】特開平７−１１７８０２号公報
【特許文献３】特開平１１−１６５８０３号公報
【特許文献４】特開２０００−２８９８０４号公報
【発明の開示】
【発明が解決しようとする課題】
【０００７】
しかしながら、上記の特許文献１および特許文献２に例示した従来技術においては、ゴミ減容器やゴミ詰込み装置にエアポンプや電動機等を用いた可動装置を採用している。このため、比較的大型で複雑な装置となり、家庭や事業所等に適した小型で簡潔な構成の減容器は、見受けられなかった。また、電源が必要となるために、設置場所に制限があるなどの問題があった。また、特許文献３では、手若しくは指でゴミを圧縮するために、汚れたゴミに対しては手若しくは指に汚れが移り、不潔であるという問題があった。更に、圧縮できる面が限られるため、収容容器内のゴミ全体の容積を均一に圧縮することが困難であった。また、特許文献４では、押圧蓋を用いてゴミを圧縮するものであるが、押圧蓋により圧縮したときのみ一時的にゴミを圧縮できるものであり、押圧蓋で圧縮しないときにはゴミが自らの復元力により、容積が大きくなることを防ぐことができなかった。
【０００８】
本発明の目的は、プラスチック製容器包装等の嵩張るゴミを、電源を必要とせず、大型で複雑な可動装置を採用しない小型で簡潔な構成で、手若しくは指等をゴミで汚すことなく、ゴミの復元力に対抗して圧縮状態を維持したまま、容器内のゴミ全体の容積を均一に圧縮し収納する、ことができる容器を、提供することである。
【０００９】
本発明において、収納する物とは、分別および収集される物であって、例えばゴミ等の廃棄物、特にプラスチック製容器包装（外装フィルム、ラップ、トレイ、菓子袋等）のような嵩張る物を言う。
【課題を解決するための手段】
【００１０】
前記目的を達成するため、本発明は、物を収納する容器であって、開口部を有する収納部と前記開口部を塞ぐ蓋とから構成され、前記開口部は、前記蓋が装着される部分が略筒状に形成され、前記蓋は、前記開口部の径方向の寸法より長い寸法を有し、曲げの力に対して可撓性と反発性を具備する材料からなり、前記収納部又は前記蓋は、前記蓋が前記収納部に装着された際に、前記収納部と前記蓋とが互いに接する部分において滑り防止部として形成される、という構成を採っている。このような構成とすれば、プラスチック製容器包装のような嵩張る物を収納するために前記蓋を収納部に装着する際に、前記開口部の上に置かれた前記蓋を下方に押し下げると、前記蓋が下方に凸に変形した形状のまま、前記収納部と前記蓋とが互いに接する部分において滑り防止部として形成されるため、前記蓋は保持され、収納した物を圧縮することが可能となる。前記蓋を取り外す際には、前記蓋の周縁の一方を下に押圧すると、他方が浮き上がり前記収納部との間に隙間を生じる。この隙間に指を入れて、上方に引き上げることにより、前記蓋を前記収納部から脱着することができる。なお、下記に記載するような取り外し手段を有する前記蓋とすることにより、更に容易に前記蓋を脱着することが可能となる。
【００１１】
また、前記蓋はプラスチックを材料とする収納容器とすることができ、これにより、本発明のゴミ収納容器を、安価に広く一般的に提供することが可能となる。
【００１２】
また、前記蓋は、径方向に切欠を有することができ、これにより、前記蓋を装着する際の前記蓋の変形を容易にすることが可能となる。
【００１３】
また、前記蓋は、前記蓋が前記収納部に装着された際の取り外し手段を有することができ、これにより、前記蓋を脱着する際の操作を容易にすることが可能となる。即ち、前記蓋の取り外し手段を上方に引き上げることにより、この部分を中心にして前記蓋の一部が上方に凸に変形する。更に上方に引き上げ続けることにより、前記凸に変形した領域は広がり、前記蓋は収納部から脱着することとなる。
【発明の効果】
【００１４】
本発明によれば、プラスチック製容器包装等の嵩張るゴミを、電源を必要とせず、大型の可動装置を採用しない小型で簡潔な構成で、手若しくは指等をゴミで汚すことなく、ゴミの復元力に対抗して圧縮状態を維持したまま、容器内のゴミ全体の容積を均一に圧縮し収納することができる容器を提供することが可能となる。
【発明を実施するための最良の形態】
【００１５】
本発明による物を収納する容器は、図１に示すように、蓋１と収納部２とから構成され、収納部２は開口部３を有する。蓋１を収納部２に装着する場合には、図１の（ａ）、（ｂ）、（ｃ）、（ｄ）の順に、蓋１は変形する。蓋１は、収納部２の開口部３の径方向の寸法より長い寸法を有する場合には、蓋２は収納部２の上部に被さる状態とすることができる（図１の（ｂ））。ここで、蓋１を下方に押し下げる力を与えると、可撓性を有する材料で構成される蓋１は、下に凸に撓むことができる（図１の（ｃ））。更に下方に押し下げると、蓋１は収納部２の開口部３の中に収まる状態となる（図１の（ｄ））。ここで、蓋１は反発性を具備する材料で構成されるため、外側に開こうとする反発力が発生する。この反発力は、図３に示すように、蓋１を上方に押し上げる力と、収納部２の面に垂直な方向（同図では右方向）に押し付ける力とに分解される。ここで、図３に示すように、収納部２又は蓋１は、蓋１が収納部２に装着された際に、収納部２と蓋１とが互いに接する部分において滑り防止部として形成されるため、前記の互いに接する部分において摩擦力が発生する。この摩擦力は、前記の収納部２の面に垂直な方向に押し付ける力に応じて発生し、この摩擦力が、前記の蓋１を上側に押し上げる力と拮抗することにより、蓋１は収納部２に一定の力で保持される。なお、滑り防止部としては、凹凸上の突起、溝状の切欠、又は摩擦係数の高い材料の選定等により実現できる。
【００１６】
蓋１を収納部２から脱着する場合には、図２の（ａ）、（ｂ）、（ｃ）、（ｄ）の順に、蓋１は変形する。蓋１の突起４を引き上げると、突起４の周りは上に凸に変形する（図２の（ａ））。更に上方に引き上げると、蓋１の変形は進み（図２の（ｂ）及び（ｃ））、蓋１は収納部２から脱着することができる（図２の（ｄ））。ここで、突起４は図７（ａ）に示すように、蓋１が収納部２に装着された際の取り外し手段の一つである。この他には、図７の（ｂ）、（ｃ）に示す例も挙げることができる。
【００１７】
蓋１は、図４に示すように、径方向に切欠６を有することで、図１及び図２における蓋１の変形を助長することができる。切欠の数、大きさ、場所等は、収納部２及び蓋１の形状、大きさ、材質等に応じて最適な仕様に定めることができる。
【００１８】
更に蓋１は、図５に示すように、例えば左右方向に長く、前後方向に短い、円形でない細長い形状とすることもできる。この場合、蓋７は収納部１に装着時に撓むために必要な分だけの長さを有すればよい。
【００１９】
また、本発明は、図６に示すように、例えば台所の水切りカゴのように、水分を排出し、収納部２が円筒形ではない収納容器においても適用することができる。この場合、蓋1の形状、材質等は、収納部２の形状、材質および設置場所の条件等に応じて、最適な仕様にすることができる。
【００２０】
また、本発明は、図７に示すように、蓋１の取り外し手段の一例として、同図（ａ）、（ｂ）、（ｃ）の形状を採ることができる。同図（ａ）は、指で摘むことができるよう突起４を取り付けたものである。同図（ｂ）は、指で引っ掛けることができるよう突起８を取り付けたものである。同図（ｃ）は指を入れることができるよう開口９を設けたものである。同図（ｃ）の場合には、前記開口を利用して、蓋１が装着時でも物を収納部２に投入することができる。
【図面の簡単な説明】
【００２１】
【図１】蓋を装着する場合の蓋の変形を示す断面図である。
【図２】蓋を脱着する場合の蓋の変形を示す断面図である。
【図３】蓋と収納部との接触部の断面詳細図である。
【図４】蓋の変形を助長するための切欠を有する蓋の概略斜視図である。
【図５】蓋の形状の他の例を示す概略斜視図である。
【図６】水分を排出する収納容器を示す概略斜視図である。
【図７】蓋の取り外し手段の一例を示す概略斜視図である。
【符号の説明】
【００２２】
１・・蓋
２・・収納部
３・・開口部
４・・突起
５・・滑り防止部
６・・切欠
７・・蓋（円形でない蓋の例）
８・・突起（指を引っ掛ける形状）
９・・開口
【図１】
2006273518.tif 000003
【図２】
2006273518.tif 000004
【図３】
2006273518.tif 000005
【図４】
2006273518.tif 000006
【図５】
2006273518.tif 000007
【図６】
2006273518.tif 000008
【図７】
2006273518.tif 000009
【手続補正書】
【提出日】平成17年3月29日(2005.3.29)
【手続補正１】
【補正対象書類名】明細書
【補正対象項目名】０００５
【補正方法】変更
【補正の内容】
【０００５】
プラスチック製容器包装等の嵩張るゴミを収集するためには、蓋付きのゴミ箱が一般的であるが、このようなゴミ箱にはゴミを減容する機能はなく、ゴミ箱がすぐに一杯になるため、ゴミ箱内のゴミを頻繁に捨てる必要があった。また、ゴミのもつ反発力のために、外開きの蓋では、蓋が開いたりゴミが外に溢れ出したりする一方で、内開きの蓋では、収納されたゴミの反発で蓋が開きにくい、などの不便があった。
【手続補正２】
【補正対象書類名】明細書
【補正対象項目名】０００６
【補正方法】変更
【補正の内容】
【０００６】
上記の問題を解決するための手段として、ゴミの減容機能を有する装置や容器が公知である。例えば、特許文献１および特許文献２には、エアポンプや電動機等を用いた可動機構を採り入れることより、ゴミを圧縮し、減容する技術が開示されている。これらの技術は、比較的大型の装置により効率的にゴミを圧縮、減容するものである。また、特許文献３および特許文献４には、手若しくは指又は押圧蓋を使うことにより、ゴミを圧縮し、減容する技術が開示されている。これらの技術は、エアポンプや電動機等を用いることなく、比較的に簡便な装置で実現している。
【特許文献１】特開２００３−２６１２０２号公報
【特許文献２】特開平７−１１７８０２号公報
【特許文献３】特開平１１−１６５８０３号公報
【特許文献４】特開２０００−２８９８０４号公報
【手続補正３】
【補正対象書類名】明細書
【補正対象項目名】０００８
【補正方法】変更
【補正の内容】
【０００８】
本発明の目的は、プラスチック製容器包装等の嵩張るゴミを、電源を必要とせず、大型で複雑な可動装置を採用しない小型で簡潔な構成で、手若しくは指等をゴミで汚すことなく、ゴミの復元力に対抗して圧縮状態を維持したまま、容器内のゴミ全体の容積を均一に圧縮し収納する、ことができる容器を提供することである。
【手続補正４】
【補正対象書類名】明細書
【補正対象項目名】００１３
【補正方法】変更
【補正の内容】
【００１３】
また、前記蓋は、前記蓋が前記収納部に装着された際の取り外し手段を有することができ、これにより、前記蓋を脱着する際の操作を容易にすることが可能となる。即ち、前記蓋の取り外し手段を上方に引き上げることにより、この部分を中心にして前記蓋の一部が上方に凸に変形する。更に上方に引き上げ続けることにより、前記凸に変形した領域は広がり、前記蓋は収納部から脱着することとなる。